(57)【要約】【課題】トラックの箱型の荷台表面を広告表示盤として使用する際に、簡単な手段で宣伝効果を高めることが可能な荷台用広告表示盤の提供を目的とする。【解決手段】荷台Ｎの周囲縁に沿って帯状の蛍光材又は光反射材からなる矩形状の額縁表示体１０を配設し、荷台Ｎの側面に広告表示盤Ｐを形成する。該広告表示盤Ｐの額縁表示体１０で囲まれたスペースに、広告表示２０を施す。荷台Ｎの額縁表示体１０及び広告表示２０を、蛍光フィルム、蛍光塗料、光反射シート、光反射体のいずれかにて形成する。箱形荷台Ｎはアルミバン又はコンテナを利用する。【選択図】図１
0003126950.tif 000002
【実用新案登録請求の範囲】
【請求項１】
トラックの箱形荷台を用いた広告表示盤において、荷台の周囲縁に沿って略帯状の蛍光材又は光反射材からなる矩形状の額縁表示体を配設することで、荷台の側面あるいは後面に広告表示盤を形成し、該広告表示盤の額縁表示体で囲まれたスペースに、広告表示を施すことを特徴とする荷台用広告表示盤。
【請求項２】
前記荷台の額縁表示体及び広告表示は、蛍光フィルム、蛍光塗料、光反射シート、光反射体のいずれかにて形成された請求項１記載の荷台用広告表示盤。
【請求項３】
前記箱形荷台はアルミバン又はコンテナである請求項１又は２記載の荷台用広告表示盤。
【請求項４】
前記広告表示盤は、前記トラックの箱形荷台の後側面のみを使用した請求項１乃至３いずれか記載の荷台用広告表示盤。
【請求項５】
前記広告表示盤は、前記トラックの箱形荷台の後側面と左右側面とを使用した請求項１乃至３いずれか記載の荷台用広告表示盤。
【考案の詳細な説明】
【技術分野】
【０００１】
本考案は、トラックの箱型の荷台表面を広告表示盤として利用するもので、特に、荷台側面のひとつひとつが独立した広告スペースであるとの認識を促すことで、宣伝効果を高めるようにした荷台用広告表示盤に関するものである。
【背景技術】
【０００２】
車両に広告を表示する手段として、たとえば特許文献１乃至３に記載されている手段が提案されている。
【０００３】
特許文献１は、車両の車体に、光反射シールで宣伝文等を表示したステッカーを貼り付けたもので、このステッカーが、後続のヘッドライト等に照らされると、宣伝効果を発揮するというものである。
【０００４】
特許文献２は、生コン用トラックの回転するタンク側面に広告を表示したものであり、タンクの回転に伴って表示された広告も回転する広告表示になっている。
【０００５】
特許文献３は、光源を備えた広告装置をトラックの荷台に備え、広告媒体を表示したシートと基礎フレームとの間に光源を設け、この光源がシートを照らすことで、広告表示を効果的に演出できるようにしたものである。
【特許文献１】特開平１１−８５０８７号公報
【特許文献２】特開２００３−４３９７１号公報
【特許文献３】特許第３４６５８４１号公報
【考案の開示】
【考案が解決しようとする課題】
【０００６】
特許文献１に記載されたステッカーでは、乗用車の後部に広告表示を施したステッカーを貼り付けることは可能でも、ステッカーのサイズには限度があるので、このステッカーでトラックの荷台全体に宣伝広告を表示するといった、大規模な広告媒体として利用することは困難である。
【０００７】
また、特許文献２に記載された生コン用トラックの回転タンクを利用する場合は、そもそも、こぼれた生コンが広告媒体を汚してしまうおそれが高く、広告内容が汚れてしまうとマイナスイメージにならざるを得ない。しかも、タンク側面は略球面状を成しており、広告表示面が平面的でないので、このタンク側面に広告を表示する作業が困難になる不都合もあった。
【０００８】
更に、特許文献３に記載の如く、光源を利用した広告装置や広告表示シートを用いるものでは、広告装置全体の構成が複雑になってしまい、一般のトラック荷台に広告装置や広告表示シートを装着するまでに、極めて多くのコストと手間を要するものである。
【０００９】
そこで本考案は、上述の課題を解消すべく案出されたもので、トラックの箱型の荷台表面を広告表示盤として使用する際に、簡単な手段で宣伝効果を高めることが可能な荷台用広告表示盤の提供を目的とするものである。
【課題を解決するための手段】
【００１０】
本考案の第１の手段は、トラックＴの箱形荷台Ｎを用いた広告表示盤において、荷台Ｎの周囲縁に沿って略帯状の蛍光材又は光反射材からなる矩形状の額縁表示体１０を配設することで、荷台Ｎの側面あるいは後面に広告表示盤Ｐを形成し、該広告表示盤Ｐの額縁表示体１０で囲まれたスペースに、広告表示２０を施すことにある。
【００１１】
第２の手段は、前記荷台Ｎの額縁表示体１０及び広告表示２０は、蛍光フィルム、蛍光塗料、光反射シート、光反射体のいずれかにて形成されている。
【００１２】
第３の手段において、前記箱形荷台Ｎはアルミバン又はコンテナを利用するものである。
【００１３】
第４の手段の前記広告表示盤Ｐは、前記トラックＴの箱形荷台Ｎの後側面のみを使用している。
【００１４】
第５の手段の前記広告表示盤Ｐは、前記トラックＴの箱形荷台Ｎの後側面と左右側面とを使用したことを課題解消のための手段とする。
【考案の効果】
【００１５】
本考案の請求項１の如く、荷台Ｎの周囲縁に沿って略帯状の蛍光材又は光反射材からなる矩形状の額縁表示体１０を配設して広告表示盤Ｐを形成することで、この広告表示盤Ｐを見る第三者に対し、荷台Ｎの側面や後面が独立した広告スペースであるとの認識を促すことができる。この結果、一般の車両を利用した広告表示と異なり、荷台を利用してあたかも通常の看板に表示した広告の如き印象を与えるものである。したがって、広告表示盤Ｐの額縁表示体１０で囲まれたスペースに施した広告表示２０の宣伝効果を高めることができる。
【００１６】
しかも、広告表示盤Ｐは、荷台Ｎの周囲縁に沿って額縁表示体１０を配設するだけで良いから、極めて合理的な手段で、荷台Ｎを広告表示盤Ｐに変えることができる。そのため、箱状の荷台Ｎであればどのような荷台Ｎでも効果的な広告表示盤Ｐに利用することが可能になる。
【００１７】
本考案の請求項２によると、前記荷台Ｎの額縁表示体１０及び広告表示２０を、蛍光フィルム、蛍光塗料、光反射シート、光反射体のいずれかにて形成することにより、より人目に付きやすい広告表示が可能になる。
【００１８】
請求項３では、前記箱形荷台Ｎとして、アルミバン又はコンテナを利用することができるものである。
【００１９】
請求項４により、前記トラックＴの箱形荷台Ｎの後側面のみを広告表示盤Ｐに使用することで、特に後続の車両がトラックＴに近づく際に、広告表示盤Ｐを確実に注目するので、広告表示効果を高めることができる。また、夜間では、後続の車両のライトが広告表示盤Ｐを直接照射するので、夜間においても効率の良い宣伝効果を得ることができる。
【００２０】
請求項５の如く、トラックＴの箱形荷台Ｎの後側面と左右側面とを広告表示盤Ｐに使用することで、荷台Ｎ全体を広告媒体として利用することが可能になる。この際、主要な高速道路を走行中の広告表示盤Ｐは、あらゆる方向に表示する広告媒体となる。特に夜間時の走行は、道路設備の照明灯や車両のヘッドライトの中に、広告表示盤Ｐの額縁表示体１０や広告表示２０が浮かび上がるので、絶大な宣伝効果を期待できるものである。
【００２１】
このように、本考案によると、トラックの箱型の荷台表面を広告表示盤として使用する際に、簡単な手段で宣伝効果を高めることが可能になるなどといった実用上有益な種々の効果を奏するものである。
【考案を実施するための最良の形態】
【００２２】
本考案の最良の形態は、荷台Ｎの周囲縁に沿って帯状の蛍光材又は光反射材からなる矩形状の額縁表示体１０を配設し、荷台Ｎの側面に広告表示盤Ｐを形成する。該広告表示盤Ｐの額縁表示体１０で囲まれたスペースに、広告表示２０を施す。荷台Ｎの額縁表示体１０及び広告表示２０を、蛍光フィルム、蛍光塗料、光反射シート、光反射体のいずれかにて形成する。箱形荷台Ｎはアルミバン又はコンテナを利用することで当初の目的を達成するものである。
【実施例】
【００２３】
以下、図面を参照して本考案の実施例を詳細に説明する。本考案広告表示盤Ｐは、トラックＴの箱形荷台Ｎを利用したものである。すなわち、荷台Ｎの周囲縁に沿って矩形状の額縁表示体１０を配設することで、荷台Ｎの側面や後面に広告表示盤Ｐを形成するものである（図１参照）。この額縁表示体１０は、蛍光材又は光反射材を略帯状に付着して設けるもので、額縁表示体１０の材質として、例えば、蛍光フィルム、蛍光塗料、光反射シート、光反射体などが使用される。特に、光反射シート、光反射体としては、再帰反射性のものが好適である。また、蛍光材又は光反射材の付着手段は、スプレー刷毛等による塗布手段や、接着剤を使用した接着手段など、光反射材の材質に最適な付着手段を選択する。
【００２４】
額縁表示体１０を設ける際に、蛍光材又は光反射材を略帯状に付着する場合、図１に示す如く、直線形状の帯状に限られるものではなく、図２、図３に示す如く、任意の額縁状をイメージできるように設けるのが好ましい。特に、この額縁表示体１０で囲まれたスペースを広告表示２０とするので、額縁表示体１０のデザインや色彩、材質等は自由な工夫ができるようにしている。
【００２５】
本考案広告表示盤Ｐは、額縁表示体１０で囲まれたスペースに、任意の広告表示２０を施すものである。広告表示２０は、例えば、商品名、会社名、個人名、写真、絵、等の通常、看板表示される広告表示２０が表示されるものである。このとき、広告表示２０の材質として、例えば、蛍光フィルム、蛍光塗料、光反射シート、光反射体などを使用することで、蛍光材や光反射材で形成される前記額縁表示体１０と調和のとれた表示をすることが可能になる。勿論、一般のペイントや硝子粒子等を含有した特殊なペイントなどを使用してもよい。
【００２６】
トラックＴの箱形荷台Ｎとして、例えば、図２で示すアルミバンや、図３で示すコンテナを使用すると、最も効果的な広告表示盤Ｐを形成することができる。アルミバンとは、ウィング車やドライバン、冷凍車などの荷台Ｎであり、平ボデーなどと区別される。また、コンテナとは、コンテナ運搬車に積載するコンテナを荷台Ｎとする。
【００２７】
広告表示盤Ｐの一実施例として、トラックＴの箱形荷台Ｎの後側面のみを使用する場合がある。この場合、荷台Ｎの一部を広告表示盤Ｐとするので、額縁表示体１０や広告表示２０などを施す手間やコストを少なくすることができる一方で、後続車に対する最適な表示になるので、極めて効率の良い宣伝広告をすることができる。
【００２８】
また、広告表示盤Ｐの他の実施例として、トラックＴの箱形荷台Ｎの後側面と左右側面とを全て使用する場合もある。この場合、荷台Ｎ全体をいわば広告塔として利用するので、広範囲の宣伝が可能になるものである。
【００２９】
尚、図示例の各構成は、本考案の一実施例に過ぎず、額縁表示体１０の形状やデザインは任意に変更することができ、また、広告表示２０の材質も蛍光塗料や光反射性以外の材質を使用してもよく、本考案の要旨を変更しない範囲において自由に変更することができるものである。
【図面の簡単な説明】
【００３０】
【図１】本考案の広告表示盤の一実施例を示す正面図である。
【図２】本考案の荷台を示す一実施例を示す側面図である。
【図３】本考案の荷台を示す他の実施例を示す側面図である。
【符号の説明】
【００３１】
１０  額縁表示体
２０  広告表示
Ｔ  トラック
Ｎ  荷台
Ｐ  広告表示盤
【図１】
0003126950.tif 000003
【図２】
0003126950.tif 000004
【図３】
0003126950.tif 000005
【手続補正書】
【提出日】平成18年9月14日(2006.9.14)
【手続補正１】
【補正対象書類名】実用新案登録請求の範囲
【補正対象項目名】請求項１
【補正方法】変更
【補正の内容】
【請求項１】
トラックの箱形荷台を用いた広告表示盤において、荷台の側面又は後面の周囲縁に沿って略帯状の蛍光材又は光反射材からなる矩形状の額縁表示体を配設することで、荷台の側面あるいは後面に広告表示盤を形成し、該広告表示盤の額縁表示体で囲まれたスペースに、広告表示を施すことを特徴とする荷台用広告表示盤。
【手続補正２】
【補正対象書類名】実用新案登録請求の範囲
【補正対象項目名】請求項４
【補正方法】変更
【補正の内容】
【請求項４】
前記広告表示盤は、前記トラックの箱形荷台の後面のみを使用した請求項１乃至３いずれか記載の荷台用広告表示盤。
【手続補正３】
【補正対象書類名】実用新案登録請求の範囲
【補正対象項目名】請求項５
【補正方法】変更
【補正の内容】
【請求項５】
前記広告表示盤は、前記トラックの箱形荷台の後面と左右側面とを使用した請求項１乃至３いずれか記載の荷台用広告表示盤。
【手続補正４】
【補正対象書類名】明細書
【補正対象項目名】００１０
【補正方法】変更
【補正の内容】
【００１０】
本考案の第１の手段は、トラックＴの箱形荷台Ｎを用いた広告表示盤において、荷台Ｎの側面又は後面の周囲縁に沿って略帯状の蛍光材又は光反射材からなる矩形状の額縁表示体１０を配設することで、荷台Ｎの側面あるいは後面に広告表示盤Ｐを形成し、該広告表示盤Ｐの額縁表示体１０で囲まれたスペースに、広告表示２０を施すことにある。
【手続補正５】
【補正対象書類名】明細書
【補正対象項目名】００１３
【補正方法】変更
【補正の内容】
【００１３】
第４の手段の前記広告表示盤Ｐは、前記トラックＴの箱形荷台Ｎの後面のみを使用している。
【手続補正６】
【補正対象書類名】明細書
【補正対象項目名】００１４
【補正方法】変更
【補正の内容】
【００１４】
第５の手段の前記広告表示盤Ｐは、前記トラックＴの箱形荷台Ｎの後面と左右側面とを使用したことを課題解消のための手段とする。
【手続補正７】
【補正対象書類名】明細書
【補正対象項目名】００１５
【補正方法】変更
【補正の内容】
【００１５】
本考案の請求項１の如く、荷台Ｎの側面又は後面の周囲縁に沿って略帯状の蛍光材又は光反射材からなる矩形状の額縁表示体１０を配設して広告表示盤Ｐを形成することで、この広告表示盤Ｐを見る第三者に対し、荷台Ｎの側面や後面が独立した広告スペースであるとの認識を促すことができる。この結果、一般の車両を利用した広告表示と異なり、荷台を利用してあたかも通常の看板に表示した広告の如き印象を与えるものである。したがって、広告表示盤Ｐの額縁表示体１０で囲まれたスペースに施した広告表示２０の宣伝効果を高めることができる。
【手続補正８】
【補正対象書類名】明細書
【補正対象項目名】００１９
【補正方法】変更
【補正の内容】
【００１９】
請求項４により、前記トラックＴの箱形荷台Ｎの後面のみを広告表示盤Ｐに使用することで、特に後続の車両がトラックＴに近づく際に、広告表示盤Ｐを確実に注目するので、広告表示効果を高めることができる。また、夜間では、後続の車両のライトが広告表示盤Ｐを直接照射するので、夜間においても効率の良い宣伝効果を得ることができる。
【手続補正９】
【補正対象書類名】明細書
【補正対象項目名】００２０
【補正方法】変更
【補正の内容】
【００２０】
請求項５の如く、トラックＴの箱形荷台Ｎの後面と左右側面とを広告表示盤Ｐに使用することで、荷台Ｎ全体を広告媒体として利用することが可能になる。この際、主要な高速道路を走行中の広告表示盤Ｐは、あらゆる方向に表示する広告媒体となる。特に夜間時の走行は、道路設備の照明灯や車両のヘッドライトの中に、広告表示盤Ｐの額縁表示体１０や広告表示２０が浮かび上がるので、絶大な宣伝効果を期待できるものである。
【手続補正１０】
【補正対象書類名】明細書
【補正対象項目名】００２３
【補正方法】変更
【補正の内容】
【００２３】
以下、図面を参照して本考案の実施例を詳細に説明する。本考案広告表示盤Ｐは、トラックＴの箱形荷台Ｎを利用したものである。すなわち、荷台Ｎの側面又は後面の周囲縁に沿って矩形状の額縁表示体１０を配設することで、荷台Ｎの側面や後面に広告表示盤Ｐを形成するものである（図１参照）。この額縁表示体１０は、蛍光材又は光反射材を略帯状に付着して設けるもので、額縁表示体１０の材質として、例えば、蛍光フィルム、蛍光塗料、光反射シート、光反射体などが使用される。特に、光反射シート、光反射体としては、再帰反射性のものが好適である。また、蛍光材又は光反射材の付着手段は、スプレー刷毛等による塗布手段や、接着剤を使用した接着手段など、光反射材の材質に最適な付着手段を選択する。
【手続補正１１】
【補正対象書類名】明細書
【補正対象項目名】００２７
【補正方法】変更
【補正の内容】
【００２７】
広告表示盤Ｐの一実施例として、トラックＴの箱形荷台Ｎの後面のみを使用する場合がある。この場合、荷台Ｎの一部を広告表示盤Ｐとするので、額縁表示体１０や広告表示２０などを施す手間やコストを少なくすることができる一方で、後続車に対する最適な表示になるので、極めて効率の良い宣伝広告をすることができる。
【手続補正１２】
【補正対象書類名】明細書
【補正対象項目名】００２８
【補正方法】変更
【補正の内容】
【００２８】
また、広告表示盤Ｐの他の実施例として、トラックＴの箱形荷台Ｎの後面と左右側面とを全て使用する場合もある。この場合、荷台Ｎ全体をいわば広告塔として利用するので、広範囲の宣伝が可能になるものである。